(57)【要約】【課題】熱損失を抑え、貯湯量を最大限有効利用でき、貯湯タンク内の空気抜きを実現し、かつ、貯湯タンク内の水位の検出を通じた空炊き防止を可能とする貯湯式温水器および貯湯式温水器の空気抜き弁を提供する。【解決手段】整流板４２が、貯湯タンク６内で既に沸上っている温水と新たに供給された冷水との間の渦流の発生を抑え、給湯手段２５が、温水を給湯手段２５の開口部まで吐出した時、開口部の下部には比重の重い冷水が満たされ、開口部上部には比重の軽い温水が残るという現象を防ぎ、空気抜き弁３３が、貯湯タンク６内の空気抜きを行うとともに、貯湯タンク６内の水位を検出して電気ヒータ発熱部２１の空炊きを防止する。【選択図】図３
2005257148.tif 000002
【特許請求の範囲】
【請求項１】
貯湯式温水器であって、
水平方向を長手にした貯湯タンクと、
前記貯湯タンクの下部へ連通して前記貯湯タンクに給水する給水手段と、
前記貯湯タンク内の水を沸き上げる沸き上げ手段と、
前記貯湯タンクからの放熱を抑制する保温手段と、
前記貯湯タンクの上部に連通して前記貯湯タンク外部へ給湯する給湯手段とを備え、
前記給水手段は、前記貯湯タンクの内部に突き出し、前記貯湯タンクの下部方向に開放した半月形状の断面を有する整流手段を備え、
前記給湯手段は、前記貯湯タンク内で前記貯湯タンクの上部方向に屈曲し、前記貯湯タンクの最上部で開口する開口部を備える
ことを特徴とする貯湯式温水器。
【請求項２】
請求項１に記載の貯湯式温水器において、
前記沸き上げ手段は、
前記貯湯タンク上部に設けられ、
前記貯湯タンクの内部に溜まった空気を前記貯湯タンクの外部に放出する空気放出手段を備える
ことを特徴とする貯湯式温水器。
【請求項３】
請求項２に記載の貯湯式温水器において、
前記空気放出手段は、
前記貯湯タンクと連通して前記貯湯タンク内の空気および水が出入りする開口部と、
前記空気放出手段の内部に設けられ、前記空気放出手段内の水位に連動して上下動するフロート部と、
前記フロート部の上下動を弁部に伝達するリンク部と、
前記リンク部から伝達された前記フロート部の上下動に連動して開閉する弁部とを備える
ことを特徴とする貯湯式温水器。
【請求項４】
貯湯式温水器の貯湯タンクの内部に溜まった空気を貯湯タンクの外部に放出する空気抜き弁であって、
前記貯湯タンクと連通して前記貯湯タンク内の空気および温水が出入りする開口部と、
前記空気抜き弁の内部に設けられ、前記空気抜き弁内の水位に連動して上下動するフロート部と、
前記フロート部の上下動を弁部に伝達するリンク部と、
前記リンク部から伝達された前記フロート部の上下動に連動して開閉する弁部とを備える
ことを特徴とする貯湯式温水器の空気抜き弁。
【請求項５】
請求項１に記載の貯湯式温水器において、
前記沸き上げ手段は、
前記貯湯タンク上部に設けられ、
前記貯湯タンクの内部に溜まった空気を前記貯湯タンクの外部に放出する空気放出手段と、
前記空気放出手段から伝達された電気信号に基づいて、前記貯湯タンク内の水の沸き上げ動作を制御する制御手段とを備え、
前記空気放出手段は、
前記貯湯タンクと連通して前記貯湯タンク内の空気および水が出入りする開口部と、
前記空気放出手段の内部に設けられ、前記空気放出手段内の水位に連動して上下動するフロート部と、
前記フロート部の上下動を弁部に伝達するリンク部と、
前記リンク部から伝達された前記フロート部の上下動に連動して開閉する弁部と、
前記フロート部の上下動を検出して、検出結果を電気信号として前記制御手段に伝達する検出部とを備える
ことを特徴とする貯湯式温水器。
【発明の詳細な説明】
【技術分野】
【０００１】
本発明は、貯湯式温水器に関し、特に、貯湯タンクの長手方向をほぼ水平方向に配置してなる、高さを低くした家屋の床下、ガレージの床下、階段下などへの設置に適した貯湯式温水器および貯湯式温水器の空気抜き弁に関するものである。
【背景技術】
【０００２】
図４（Ａ）は、これまで主流を占めてきた従来の貯湯式温水器の構成を示す図である。図４（Ａ）に示すように、従来の貯湯式温水器は、ほぼ垂直方向を長手方向とした貯湯タンク１を備え、該貯湯タンク１の下部へ連通して上水道から貯湯タンク１に給水する給水手段２と、電気ヒータ又はヒートポンプなどの、貯湯タンク１内の水を所定の温度に沸き上げる沸き上げ手段３と、沸上った湯から外気への放熱を抑制する保温手段４と、貯湯タンク１の上部に連通して給水手段２から供給される水圧を利用して、台所、洗面所、浴室などに沸上った湯を供給するための給湯手段５で構成される。
【０００３】
最近、設置面積の確保が困難な住宅環境が増加したことから、家屋の床下、ガレージの床下、階段下など単独の設置スペースを確保しなくても設置できる貯湯式温水器のニーズが増加してきた。該ニーズに対応するためには、高さ方向を抑え、貯湯量ができる限り大きく、保温性能・使用性能の良い、貯湯式温水器を必要とする。
【０００４】
図４（Ｂ）は、このニーズを満たす目的で、ほぼ水平方向を長手方向とした貯湯タンク６と、該貯湯タンク６の下部へ連通して上水道から貯湯タンク６に給水する給水手段７と、電気ヒータ又はヒートポンプなどの、貯湯タンク６内の水を所定の温度に沸き上げる沸き上げ手段８と、沸上った湯から外気への放熱を抑制する保温手段９と、貯湯タンク６の上部に連通して給水手段７から供給される水圧を利用して、台所、洗面所、浴室などに沸上った湯を供給するための給湯手段１０とを備えた従来の貯湯式温水器の構成を示す図である。
【０００５】
図５は、図４（Ｂ）に示した、ほぼ水平方向を長手方向とする貯湯タンク６を有する貯湯式温水器の、既に沸上っている湯と新たに供給した水とが混合してしまうという弱点や給湯手段１０の開口部分で温水と冷水の比重差に起因して温水の取り出し残が生じるという弱点を補うための構成を備えた従来の貯湯式温水器の構成を示す図である。
【０００６】
図５（Ａ）は、貯湯タンク６の上面に給湯手段１０を設けた従来の貯湯式温水器の構成を示す図である。図５（Ｂ）は、給水手段１１の貯湯タンク６への開口部を複数の下向きの穴の空いたパイプで構成し、既に沸上っている湯と、新たに供給した水が混合しにくいように配慮した従来の貯湯式温水器の構成を示す図である。
【０００７】
図５（Ｃ）は、貯湯タンク６を給水手段７側を低く給湯手段１０側を高く傾斜させることにより、給水手段７の開口部付近の湯水混合量を抑えると共に、給湯手段１０の開口部が貯湯タンク６の最上部近くに開口することにより、温水の取り出し残を減らして有効湯量を多く確保するように配慮した従来の貯湯式温水器の構成を示す図である。
【０００８】
図６は、空気抜きのための従来技術を示す。図６（Ａ）に示す従来の貯湯式温水器は、貯湯タンク６の頭頂部に、貯湯タンク６内に溜まった空気を外部に放出するための、図６（Ｃ）に示す構造の空気抜き弁１２を取り付けた構成を採る。
【０００９】
図６（Ｂ）に示す従来の貯湯式温水器は、給湯手段１０の途中に図６（Ｃ）に示す構造の空気抜き弁１２を取り付けた構成を採る。
【００１０】
図６（Ｃ）は、上記図６（Ａ）または図６（Ｂ）の貯湯式温水器に用いられる、従来の空気抜き弁１２の構成を示す図である。この空気抜き弁１２は、下部に接続口１４を設けた弁体１３と、弁体１３の内部に設け水位の上下に連動して上下するフロート１５と、フロート１５に連動して動くリンク機構１６と、リンク機構１６に連動して排気口１８を開閉する弁１７とを備える。
【００１１】
図７は、空炊き防止のための従来技術を示す。図７（Ａ）は、水圧により貯湯タンク６内の水位を検出する水位検出手段１９と、水位検出手段１９の情報を基に沸き上げ手段４０へ供給する電源をＯＮ、ＯＦＦする制御部２０を備え、沸き上げ手段４０の空炊きを防止するようにした従来の貯湯式温水器の構成を示す図である。
【００１２】
図７（Ｂ）に、上記図７（Ａ）に示す従来の貯湯式温水器の沸き上げ手段４０を構成する各手段と、制御部２０とを示す。沸き上げ手段４０は、電気ヒータ発熱部２１と電気ヒータ発熱部２１の取付フランジ２２と、取付フランジ２２に取付けたバイメタル式の温度過昇検出センサ２３とから構成される。また、制御部２０は、温度過昇検出センサ２３が検出した取付フランジ２２の温度過昇情報を基に電気ヒータ発熱部２１に供給する電源をＯＮ、ＯＦＦ制御する。
【００１３】
なお、従来技術に関して、例えば、下記の特許文献１に、一般家庭の洗面台及びトイレに湯水を供給する即湯システムが記載されている。
【特許文献１】特開平５−２０３１７０号公報
【発明の開示】
【発明が解決しようとする課題】
【００１４】
上記従来技術のうち、図４（Ａ）または図４（Ｂ）に示す構成を採る貯湯式温水器では、給水手段２の貯湯タンク１への開口部付近または給水手段７の貯湯タンク６への開口部付近で湯水の混合が多く実用的でない。この問題を解決するための図５（Ｂ）に示す貯湯式温水器では、加工が複雑で、かつ下向きに開ける穴の大きさ及び数量の最適条件が給水する水圧及び流量により左右される問題がある。
【００１５】
また、図４（Ｂ）に示す構成を採る貯湯式温水器が備える給湯手段１０では、給湯手段１０の貯湯タンク６内の開口部分で、温水と冷水の比重差に起因して、温水の取り出し残が生ずるため貯湯タンク６の有効利用ができない。
【００１６】
この問題を解決するための図５（Ａ）に示す構成を採る貯湯式温水器では、高さが高くなり、設置スペースが大きくなるため、貯湯タンク６の長手方向をほぼ水平にした効果が薄れる。また、図５（Ｃ）に示す構成を採る貯湯式温水器では、傾斜するための構造が複雑となって高さも高くなり、貯湯タンク６の長手方向をほぼ水平にした効果が薄れる。
【００１７】
また、貯湯タンク６内の空気を貯湯タンク６外へ放出する従来技術のうち、図６（Ａ）に示す構成を採る貯湯式温水器では高さが高くなり、図６（Ｂ）に示す構成を採る貯湯式温水器では貯湯タンク６の上部の空間が多くなるという問題がある。
【００１８】
また、上記図６（Ａ）または図６（Ｂ）の貯湯式温水器に用いられる、図６（Ｃ）に示す構成を採る従来の空気抜き弁の構成では、弁体１３の内部を空気の溜り代とすること、弁体１３の下部に接続口１４を設けることから、高さを低くできないという制約があった。
【００１９】
また、電気ヒータの空炊き防止に係る従来技術では、図７（Ａ）に示す構成を採る貯湯式温水器では水圧と水位の関係が画一的でなく、応答も遅いという問題があり、また、図７（Ｂ）に示す構成を採る貯湯式温水器では、取付フランジ２２の温度過昇情報を検出するために、まず沸き上げ手段４０に電源を供給しなければならないという問題があった。
【００２０】
本発明は、上記従来技術の問題点を解決し、熱損失を抑え、貯湯量を最大限有効利用でき、貯湯タンク内の空気抜きを実現し、かつ、貯湯タンク内の水位の検出を通じた空炊き防止を可能とする貯湯式温水器および貯湯式温水器の空気抜き弁の提供を目的とする。
【課題を解決するための手段】
【００２１】
上記課題を解決するため、第１の本発明は、給水手段の貯湯タンクへの開口部分で、既に沸上って貯湯タンクに貯えている湯と新たに給水手段から供給した水の混合を最小限に止めることにより有効湯量を多く確保する手段を提供する。
【００２２】
更に、第１の本発明は、給湯手段の貯湯タンクへの開口部分で発生する、温水と冷水の比重差による取り出し残の湯量を最小限に止めることにより有効湯量を多く確保する手段を提供する。
【００２３】
第２の本発明は、給水手段から供給される水に混合されて貯湯タンク内に入って来て貯湯タンクの上部に溜まった空気層、及び貯湯タンク内で湯又は水から分離して貯湯タンクの上部に溜まった空気層を一点に集めて貯湯タンクの外部へ放出する手段を提供する。
【００２４】
上記第２の本発明は、貯湯式温水器の高さを低く抑え、且つ貯湯タンクの上部に溜まった空気層を外部へ放出するという機能を有効に働かせるための小型空気抜き弁をその構成として備える。
【００２５】
第３の本発明は、貯湯タンク内の水位を空気抜き弁で検出し、電気ヒータへ供給する電源を制御することにより電気温水器の空炊きを防止する手段を提供する。上記第３の本発明は、貯湯タンク内の水位を検出する空気抜き弁をその構成として備える。
【００２６】
すなわち、本発明は、貯湯式温水器であって、水平方向を長手にした貯湯タンクと、前記貯湯タンクの下部へ連通して前記貯湯タンクに給水する給水手段と、前記貯湯タンク内の水を沸き上げる沸き上げ手段と、前記貯湯タンクからの放熱を抑制する保温手段と、前記貯湯タンクの上部に連通して前記貯湯タンク外部へ給湯する給湯手段とを備え、前記給水手段は、前記貯湯タンクの内部に突き出し、前記貯湯タンクの下部方向に開放した半月形状の断面を有する整流手段を備え、前記給湯手段は、前記貯湯タンク内で前記貯湯タンクの上部方向に屈曲し、前記貯湯タンクの最上部で開口する開口部を備えることを特徴とする貯湯式温水器である。
【００２７】
また、本発明は、前記貯湯式温水器において、前記沸き上げ手段は、前記貯湯タンク上部に設けられ、前記貯湯タンクの内部に溜まった空気を前記貯湯タンクの外部に放出する空気放出手段を備えることを特徴とする貯湯式温水器である。
【００２８】
また、本発明は、前記貯湯式温水器において、前記空気放出手段は、前記貯湯タンクと連通して前記貯湯タンク内の空気および水が出入りする開口部と、前記空気放出手段の内部に設けられ、前記空気放出手段内の水位に連動して上下動するフロート部と、前記フロート部の上下動を弁部に伝達するリンク部と、前記リンク部から伝達された前記フロート部の上下動に連動して開閉する弁部とを備えることを特徴とする貯湯式温水器である。
【００２９】
また、本発明は、貯湯式温水器の貯湯タンクの内部に溜まった空気を貯湯タンクの外部に放出する空気抜き弁であって、前記貯湯タンクと連通して前記貯湯タンク内の空気および水が出入りする開口部と、前記空気抜き弁の内部に設けられ、前記空気抜き弁内の水位に連動して上下動するフロート部と、前記フロート部の上下動を弁部に伝達するリンク部と、前記リンク部から伝達された前記フロート部の上下動に連動して開閉する弁部とを備えることを特徴とする貯湯式温水器の空気抜き弁である。
【００３０】
また、本発明は、前記貯湯式温水器において、前記沸き上げ手段は、前記貯湯タンク上部に設けられ、前記貯湯タンクの内部に溜まった空気を前記貯湯タンクの外部に放出する空気放出手段と、前記空気放出手段から伝達された電気信号に基づいて、前記貯湯タンク内の水の沸き上げ動作を制御する制御手段とを備え、前記空気放出手段は、前記貯湯タンクと連通して前記貯湯タンク内の空気および水が出入りする開口部と、前記空気放出手段の内部に設けられ、前記空気放出手段内の水位に連動して上下動するフロート部と、前記フロート部の上下動を弁部に伝達するリンク部と、前記リンク部から伝達された前記フロート部の上下動に連動して開閉する弁部と、前記フロート部の上下動を検出して、検出結果を電気信号として前記制御手段に伝達する検出部とを備えることを特徴とする貯湯式温水器である。
【発明の効果】
【００３１】
本発明によれば、従来技術では実現ができなかった、高さが低く、貯湯タンクの内容積をフルに活用した、保温性能・使用性能の優れた横型の貯湯式温水器を提供することができる。
【００３２】
特に、本発明によれば、給湯手段の貯湯タンクへの開口部分で発生する、温水と冷水の比重差による取り出し残の湯量を最小限に止めることができ、有効湯量を多く確保することが可能となる。
【００３３】
また、本発明によれば、貯湯タンクの上部に溜まった空気層を一点に集めて貯湯タンクの外部へ放出することが可能となる。
【００３４】
また、本発明によれば、貯湯タンク内の水位を空気抜き弁で検出し、電気ヒータへ供給する電源を制御することにより電気ヒータの空炊きを防止することが可能となる。
【発明を実施するための最良の形態】
【００３５】
以下に本発明の実施の形態について、図を用いて説明する。図１（Ａ）または図１（Ｂ）は、本発明の第１の実施の形態に係る貯湯式温水器の構成を示す図である。図１（Ａ）において、６は貯湯タンク、９は保温手段、２４は給水手段、２５は給湯手段、４１は電気ヒータ及びヒートポンプなどの沸き上げ手段、４２は給水手段が備える整流板である。
【００３６】
図１（Ａ）に示すように、給湯手段２５は、貯湯タンク６の上部に向かって屈曲し貯湯タンク６の頭頂部に極近い位置で開口している。
【００３７】
図１（Ｂ）は本発明の第１の実施の形態に係る貯湯式温水器の断面図である。図１（Ｂ）に示すように、給水手段２４の整流板４２は、貯湯タンク６の下部に向かって開放した半月形状の断面を有している。
【００３８】
貯湯タンク６の下部に向かって開放した半月形状の断面を持ち貯湯タンク６の内部に向かって突き出した整流板４２を設けた給水手段２４は、貯湯タンク６内に給水した時に貯湯タンク６内で既に沸上っている温水と新たに供給された冷水の間で流速の違いにより発生する渦流を抑える。従って、本発明は、該渦流により温水と冷水が混合して生じる熱損失を抑えることができる。
【００３９】
更に、給水手段２４は、下向きに且つ長手方向に開放した吸水口により、供給された冷水が貯湯タンク６の下部に均等に分布するようにして、温水と冷水の比重差により温水と冷水の境界を乱すことが無いようにする。
【００４０】
また、貯湯タンク６の上部に向かって屈曲し、貯湯タンク６の頭頂部に極近い位置で開口する給湯手段２５により、貯湯タンク６内の温水を給湯手段２５の開口部まで吐出した時、開口部の下部には比重の重い冷水が満たされ、開口部上部には比重の軽い温水が残るという現象を防ぐ。従って、本発明によれば、貯湯タンク６の内容積をフル活用することができる。
【００４１】
図２は、本発明の第２の実施の形態に係る貯湯式温水器の構成を示す図である。本発明の第２の実施の形態では、給水手段２４から供給される水に混合して貯湯タンク６内に入り貯湯タンク６の上方に溜まる空気層及び貯湯タンク６内で分離して貯湯タンク６の上方に溜まる空気層を一点に集めて貯湯タンク６外へ放出する。
【００４２】
図２（Ａ）において、４１は電気ヒータを用いた沸き上げ手段である。沸き上げ手段４１は、図２（Ｂ）に示す電気ヒータ発熱部２１と、電気ヒータ発熱部２１の取付フランジ２２と、取付フランジ２２に取付けられた空気抜き弁２６とから構成される。
【００４３】
貯湯タンク６内の空気層が貯湯タンク６の上部に集まると、これを貯湯タンク６の上部に突出して設けた電気ヒータ取付部４５に集め、空気抜き弁２６によって貯湯タンク６内の空気を貯湯タンク６の外部へ放出する。
【００４４】
図２（Ｃ）は、空気抜き弁２６の構成を示す図である。空気抜き弁２６は、弁体２７と、開口部２８−１〜２８−３と、フロート２９と、フロート２９の上下動を弁３１に伝えるリンク機構３０と、弁３１と、排気口３２とから構成される。
【００４５】
弁体２７の中央部付近に貯湯タンク６の上部に設けた取付フランジ２２への取付け部（図２（Ｃ）の点線で囲った部分）が設けられている。その取付部の直下と弁体２７の最下部に、貯湯タンク６と連通して貯湯タンク６内の空気および湯水が自由に移動する開口部２８−１〜２８−３が設けられている。
【００４６】
開口部２８を通して弁体２７には水が入ってくる。フロート２９は、貯湯タンク６内の水位の変化に伴って上下動する弁体２７の内部の水位に連動して上下に移動する。フロート２９の上下動は、リンク機構３０により弁３１に伝達され、弁３１が弁体２７の上部に設けた排気口３２を開閉する。
【００４７】
フロート２９が沈んでいる間は、弁３１が排気口３２を閉じないため、排気口３２が開いて、電気ヒータ取付部４５に溜まった空気が貯湯タンク６の外部に排出される。貯湯タンク６が温水又は冷水により満たされた時は、フロート２９の浮力により弁３１が排気口３２を閉じて、温水又は冷水の排出を防止する。従って、本発明によれば、貯湯タンク６を傾斜させたり貯湯タンク６に専用の空気溜りを設けること無く、高さを抑えた空気抜き機能付きの貯湯式温水器を提供することができる。
【００４８】
図３は、本発明の第３の実施の形態に係る貯湯式温水器の構成を示す図である。本発明の第３の実施の形態は、水位検出機能を有する空気抜き弁３３により得た情報を基に、電気ヒータ発熱部２１周辺に水が無い状態で電気ヒータ発熱部２１に通電し、電気ヒータが空炊き状熊になることを防止する。
【００４９】
図３（Ａ）において、４３は電気ヒータを用いた沸き上げ手段である。沸き上げ手段４３は、図３（Ｂ）に示す制御部４４と、電気ヒータ発熱部２１と、電気ヒータ発熱部２１の取付フランジ２２と、取付フランジ２２に取付けられた空気抜き弁３３とから構成される。空気抜き弁３３は、空気抜き弁３３内部の水位を検出する機能を有している。
【００５０】
空気抜き弁３３は、空気抜き弁３３内部の水位に関する情報を制御部４４に伝達する。制御部４４は、空気抜き弁３３から受け取った情報を取り込んで、電気ヒータ発熱部２１への電源の供給を制御する。
【００５１】
すなわち、制御部４４は、貯湯タンク６内が温水又は冷水で満たされていない時は、電気ヒータ発熱部２１への通電をロックし、満たされている時は電気ヒータ発熱部２１への通電を可能にする。従って、本発明は、専用の水位検出装置を設けることなく、電気ヒータ発熱部２１へ通電する前に、直接水位情報を基にした応答性の良い電気ヒータの空炊き防止を可能とすることができる。
【００５２】
図３（Ｃ）は、空気抜き弁３３の構成を示す図である。空気抜き弁３３は、弁体２７と、開口部２８−１〜２８−３と、フロート２９と、フロート２９の上下動を弁３１に伝えるリンク機構３０と、弁３１と、排気口３２と、弁３１またはフロート２９に取り付けられた被検出手段３４と、弁３１の開閉またはフロート２９の上下動を検出する検出手段３５とを備える。
【００５３】
なお、図３（Ｃ）では、被検出手段３４は弁３１に取り付けられており、検出手段３５は弁３１による排気口３２の開閉を検出する。弁３１がフロート２９に取り付けられた構成においては、検出手段３５はフロート２９の上下動を検出する。また、被検出手段３４としては、例えば磁力線を発生させる手段を用い、検出手段３５としては、例えば磁力線により開閉するリレーを用いることとする。
【００５４】
図３（Ｃ）に示す開口部２８を通して弁体２７内に水が入ってくる。フロート２９は、貯湯タンク６内の水位の変化に伴って上下動する弁体２７の内部の水位に連動して浮沈する。貯湯タンク６内の水位の上昇に伴ってフロート２９が浮上すると、フロート２９の浮力がリンク機構３０により弁３１に伝達され、弁３１が排気口３２を閉じる。このとき、弁３１に取り付けられた被検出手段３４は検出手段３５と対向する高さに達する。
【００５５】
検出手段３５は、被検出手段３４から発生する磁力線を検出し、制御部４４に電気信号を伝達する。制御部４４は、検出手段３５から電気信号を受け取ると、電気ヒータ発熱部２１へ電源の供給を行う。
【００５６】
一方、貯湯タンク６内の水位の下降に伴ってフロート２９が沈むと、弁３１が排気口３２から離れ、排気口３２が開かれる。このとき、被検出手段３４は検出手段３５より下方に位置する。検出手段３５は被検出手段３４から発生する磁力線を検出しなくなり、制御部４４に電気信号を伝達する。制御部４４は、検出手段３５から電気信号を受け取ると、電気ヒータ発熱部２１への電源の供給を停止する。
【図面の簡単な説明】
【００５７】
【図１】本発明の第１の実施の形態に係る貯湯式温水器の構成を示す図である。
【図２】本発明の第２の実施の形態に係る貯湯式温水器の構成を示す図である。
【図３】本発明の第３の実施の形態に係る貯湯式温水器の構成を示す図である。
【図４】従来の貯湯式温水器の構成を示す図である。
【図５】従来の貯湯式温水器の構成を示す図である。
【図６】従来の貯湯式温水器の構成を示す図である。
【図７】従来の貯湯式温水器の構成を示す図である。
【符号の説明】
【００５８】
１、６  貯湯タンク
２、７、１１、２４  給水手段
３、８、４０、４１、４３  沸き上げ手段
４、９  保温手段
５、１０、２５  給湯手段
１２、２６、３３  空気抜き弁
１３、２７  弁体
１４  接続口
１５、２９  フロート
１６、３０  リンク機構
１７、３１  弁
１８、３２  排気口
１９  水位検出手段
２０、４４  制御部
２１  電気ヒータ発熱部
２２  取付フランジ
２３  温度過昇検出センサ
２８−１、２８−２、２８−３  開口部
３４  被検出手段
３５  検出手段
４２  整流板
４５  電気ヒータ取付部
【図１】
2005257148.tif 000003
【図２】
2005257148.tif 000004
【図３】
2005257148.tif 000005
【図４】
2005257148.tif 000006
【図５】
2005257148.tif 000007
【図６】
2005257148.tif 000008
【図７】
2005257148.tif 000009